(57)【特許請求の範囲】
【請求項１】
電力線に接続自在で、前記電力線の交流電圧を変圧するトランスユニットであって、
第１のトランスと、
前記第１のトランスよりも小型な第２のトランスと、
前記第１のトランスと前記第２のトランスとを外部の基板に電気的に接続する台座と、を備え、
前記第１のトランスは、電線が巻回された第１の鉄心と、前記第１の鉄心と閉磁路を形成する第１の継鉄とを有し、
前記第２のトランスは、前記電線と異なる他の電線が巻回された第２の鉄心と、前記第２の鉄心と閉磁路を形成する第２の継鉄を有し、
前記第１の継鉄及び前記第２の継鉄は、前記第１のトランスが形成する閉磁路の少なくとも一部の磁路と、前記第２のトランスが形成する閉磁路の少なくとも一部の磁路とを形成する共通部を有し、かつ、前記第１のトランスが形成する閉磁路が存在する平面と前記第２のトランスが形成する閉磁路が存在する平面とが平行とならないように配置され、
前記第１のトランスが形成する閉磁路が存在する平面と前記台座の前記外部の基板に対する接続面が存在する平面とが直交とならないように配置されるトランスユニット。
【請求項２】
請求項１記載のトランスユニットであって、
前記第１の継鉄及び前記第２の継鉄は、前記第１のトランスが形成する閉磁路が存在する平面と前記第２のトランスが形成する閉磁路が存在する平面とが略直交するように配置されるトランスユニット。
【請求項３】
請求項１又は２記載のトランスユニットであって、
前記第１のトランスは、Ｅ型コアと台座によって、前記第１の鉄心と前記第１の継鉄とを形成しており、
前記第２のトランスの前記第２の鉄心と前記第２の継鉄とは、前記台座に形成されるトランスユニット。
【請求項４】
請求項１又は２記載のトランスユニットであって、
前記第１のトランスは、Ｅ型コアとＩ型コアによって、前記第１の鉄心と前記第１の継鉄とを形成しており、
前記第２のトランスの前記第２の鉄心と前記第２の継鉄とは、前記Ｉ型コアの端部に形成されるトランスユニット。
【請求項５】
請求項１又は２記載のトランスユニットであって、
前記第１のトランスは、２つのＥ型コアによって、前記第１の鉄心と前記第１の継鉄とを形成しており、
前記第２のトランスの前記第２の鉄心と前記第２の継鉄とは、前記Ｅ型コアの連結部の端部に形成されるトランスユニット。
【請求項６】
請求項１又は２記載のトランスユニットであって、
前記第１のトランスは、Ｅ型コアとＩ型コアによって、前記第１の鉄心と前記第１の継鉄を形成しており、
前記第２のトランスの前記第２の鉄心と前記第２の継鉄とは、前記Ｉ型コアの中央部に形成されるトランスユニット。
【請求項７】
請求項１又は２記載のトランスユニットであって、
前記第１のトランスは、２つのＥ型コアによって、前記第１の鉄心と前記第１の継鉄を形成しており、
前記第２のトランスの前記第２の鉄心と前記第２の継鉄とは、前記Ｅ型コアの連結部の中央部に形成されるトランスユニット。
【請求項８】
請求項１又は２記載のトランスユニットであって、
前記第１のトランスは、２つのＥ型コアと、前記Ｅ型コアに挟まれるＩ型コアとによって、前記第１の鉄心と前記第１の継鉄を形成しており、
前記第２のトランスの前記第２の鉄心と前記第２の継鉄とは、前記Ｉ型コアの端部に形成されるトランスユニット。
【請求項９】
請求項１ないし８のうちいずれか１項に記載のトランスユニットと、
前記トランスユニットと接続され、前記電力線を伝送路として電力線通信を行う制御回路とを備えた電力線通信装置であって、
前記第１のトランスは、前記制御回路に電圧を供給するスイッチング電源用トランスであり、
前記第２のトランスは、前記制御回路からの信号を交流電力に重畳して前記電力線に出力し、前記電力線に重畳された信号を分離して前記制御回路に出力するカプラ用トランスである電力線通信装置。
【請求項１０】
電力線に接続自在で、前記電力線の交流電圧を変圧するトランスユニットであって、
第１のトランスと、
前記第１のトランスよりも小型な第２のトランスと、
前記第１のトランスと前記第２のトランスとを外部の基板に電気的に接続する台座と、を備え、
前記第１のトランスは、電線が巻回された第１の鉄心と、前記第１の鉄心と閉磁路を形成する第１の継鉄とを有し、
前記第２のトランスは、前記電線と異なる他の電線が巻回された第２の鉄心と、前記第２の鉄心と閉磁路を形成する第２の継鉄を有し、
前記第１の継鉄及び前記第２の継鉄は、前記第１のトランスが形成する閉磁路の少なくとも一部の磁路と、前記第２のトランスが形成する閉磁路の少なくとも一部の磁路とを形成する共通部を有し、かつ、前記第１のトランスが形成する閉磁路が存在する平面と前記第２のトランスが形成する閉磁路が存在する平面とが平行とならないように配置され、
前記第１のトランスは横型として配置されることを特徴とするトランスユニット。
【発明の詳細な説明】
【技術分野】
【０００１】
本発明は、複数のトランスを一体化したトランスユニット及びこれを備えた電力線通信装置に関する。
【背景技術】
【０００２】
通信機器等によるネットワークを宅内で構成する場合、一般に、Ｅｔｈｅｒｎｅｔ信号を用いて通信を行っている。この場合、通信機器には、通信線と、その通信機器を動作させるための電力を供給する電力線とを接続する必要があり、通常、２種類の専用の電線（例えば、銅線等）を別々に接続している。１本の電線を接続して通信を行うものとして、電力線通信が提案されている（例えば、特許文献１参照）。電力線通信は、商用電力を供給する電力線を伝送路として通信を行うものであり、屋内電力線通信においては、２本の電力配線が接続される電力供給用のコンセントにモデムを介して通信機器を接続し、コンセントに接続した通信機器間で送受信が行われる。
【０００３】
このような電力線通信を行う電力線通信装置には、電源を供給するためのスイッチングトランスとともに、商用交流電圧に電力線信号を重畳するためのカプラトランスが必要である。このカプラトランスは、危険電圧である一次回路と、使用者が触れる部分がある二次回路(安全超低電圧回路＝ＳＥＬＶ（safety extra low voltage）回路）との間に挿入されるため、安全規格上、強化絶縁構造あるいは二重絶縁構造が要求される。また、このカプラトランスは、一次回路と二次回路間の端子間に、商用電源電圧に比例した空間距離確保も要求されるため、端子間寸法も必要である。このため、カプラトランスの小型化・低設置面積化には限度がある。また、スイッチングトランスについても、絶縁を図る必要があるとともに、電流容量が必要なため、同様に、その小型化・底設置面積化に限度がある。したがって、電力線通信装置の小型化に限度がある。
【０００４】
一方、一般の電子機器については機器自体の小型化が年々進んでいるため、これに内蔵する電力線通信装置は、小型化が要求されている。しかし、上記したように、カプラトランスとスイッチングトランスの小型化・底設置面積化に限度があるので、電力線通信装置を内蔵した電子機器の小形化にも限度がある。
【０００５】
【特許文献１】特開２０００−１６５３０４号公報
【発明の開示】
【発明が解決しようとする課題】
【０００６】
本発明は、上記事情に鑑みなされたもので、電力線の交流電圧を変圧する複数のトランスの小型化を、電磁的な干渉の発生を抑えつつ実現できるトランスユニットを提供することを目的とする。また、そのようなトランスユニットを備えた電力線通信装置を提供することを目的とする。
【課題を解決するための手段】
【０００７】
本発明のトランスユニットは、電力線に接続自在で、前記電力線の交流電圧を変圧するトランスユニットであって、第１のトランスと、前記第１のトランスよりも小型な第２のトランスと、前記第１のトランスと前記第２のトランスとを外部の基板に電気的に接続する台座と、を備え、前記第１のトランスは、電線が巻回された第１の鉄心と、前記第１の鉄心と閉磁路を形成する第１の継鉄とを有し、前記第２のトランスは、前記電線と異なる他の電線が巻回された第２の鉄心と、前記第２の鉄心と閉磁路を形成する第２の継鉄を有し、前記第１の継鉄及び前記第２の継鉄は、前記第１のトランスが形成する閉磁路の少なくとも一部の磁路と、前記第２のトランスが形成する閉磁路の少なくとも一部の磁路とを形成する共通部を有し、かつ、前記第１のトランスが形成する閉磁路が存在する平面と前記第２のトランスが形成する閉磁路が存在する平面とが平行とならないように配置され、前記第１のトランスが形成する閉磁路が存在する平面と前記台座の前記外部の基板に対する接続面が存在する平面とが直交とならないように配置されたものである。
【０００８】
本発明によれば、電力線の交流電圧を変圧する複数のトランスの小型化を、電磁的な干渉の発生を抑えつつ実現できる。
【０００９】
本発明のトランスユニットは、前記第１の継鉄及び前記第２の継鉄が、前記第１のトランスが形成する閉磁路が存在する平面と前記第２のトランスが形成する閉磁路が存在する平面とが略直交するように配置されるものを含む。本発明によれば、２つのトランスの互いの磁界どうしが電磁的に干渉し合うことがなくなり、一体化された同一コアを利用しても、効率的な所要の変圧動作が得られる。
【００１０】
本発明のトランスユニットは、前記第１のトランスが、Ｅ型コアと台座によって、前記第１の鉄心と前記第１の継鉄を形成しており、前記第２のトランスの前記第２の鉄心と前記第２の継鉄とが、前記台座に形成されるものを含む。
【００１１】
本発明のトランスユニットは、前記第１のトランスが、Ｅ型コアとＩ型コアによって、前記第１の鉄心と前記第１の継鉄を形成しており、前記第２のトランスの前記第２の鉄心と前記第２の継鉄とが、前記Ｉ型コアの端部に形成されるものを含む。
【００１２】
本発明のトランスユニットは、前記第１のトランスが、２つのＥ型コアによって、前記第１の鉄心と前記第１の継鉄を形成しており、前記第２のトランスの前記第２の鉄心と前記第２の継鉄とが、前記Ｅ型コアの連結部の端部に形成されるものを含む。
【００１３】
本発明のトランスユニットは、前記第１のトランスが、Ｅ型コアとＩ型コアによって、前記第１の鉄心と前記第１の継鉄を形成しており、前記第２のトランスの前記第２の鉄心と前記第２の継鉄とが、前記Ｉ型コアの中央部に形成されるものを含む。
【００１４】
本発明のトランスユニットは、前記第１のトランスが、２つのＥ型コアによって、前記第１の鉄心と前記第１の継鉄を形成しており、前記第２のトランスの前記第２の鉄心と前記第２の継鉄とが、前記Ｅ型コアの連結部の中央部に形成されるものを含む。
【００１５】
本発明のトランスユニットは、前記第１のトランスが、２つのＥ型コアと、前記Ｅ型コアに挟まれるＩ型コアとによって、前記第１の鉄心と前記第１の継鉄を形成しており、前記第２のトランスの前記第２の鉄心と前記第２の継鉄とが、前記Ｉ型コアの端部に形成されるものを含む。
【００１７】
本発明の電力線通信装置は、上記したトランスユニットと、そのトランスユニットと接続され、電力線を伝送路として電力線通信を行う制御回路とを備えた電力線通信装置であって、前記第１のトランスは、前記制御回路に電圧を供給するスイッチング電源用トランスであり、前記第２のトランスは、前記制御回路からの信号を交流電力に重畳して前記電力線に出力し、前記電力線に重畳された信号を分離して前記制御回路に出力するカプラ用トランスであるものを含む。更に、本発明のトランスユニットは、電力線に接続自在で、前記電力線の交流電圧を変圧するトランスユニットであって、第１のトランスと、前記第１のトランスよりも小型な第２のトランスと、前記第１のトランスと前記第２のトランスとを外部の基板に電気的に接続する台座と、を備え、前記第１のトランスは、電線が巻回された第１の鉄心と、前記第１の鉄心と閉磁路を形成する第１の継鉄とを有し、前記第２のトランスは、前記電線と異なる他の電線が巻回された第２の鉄心と、前記第２の鉄心と閉磁路を形成する第２の継鉄を有し、前記第１の継鉄及び前記第２の継鉄は、前記第１のトランスが形成する閉磁路の少なくとも一部の磁路と、前記第２のトランスが形成する閉磁路の少なくとも一部の磁路とを形成する共通部を有し、かつ、前記第１のトランスが形成する閉磁路が存在する平面と前記第２のトランスが形成する閉磁路が存在する平面とが平行とならないように配置され、前記第１のトランスは横型として配置されるものである。
【発明の効果】
【００１８】
以上の説明から明らかなように、本発明によれば、電力線の交流電圧を変圧する複数のトランスの小型化を、電磁的な干渉の発生を抑えつつ実現できるトランスユニットを提供することができる。また、そのようなトランスユニットを備えた電力線通信装置を提供することができる。
【発明を実施するための最良の形態】
【００１９】
以下、本発明の実施の形態について、図面を用いて説明する。
【００２０】
図１は、本発明の実施の形態の電力線通信装置の１つであるＰＬＣ（Ｐｏｗｅｒ  Ｌｉｎｅ  Ｃｏｍｍｕｎｉｃａｔｉｏｎ）モデムの前面を示す外観斜視図、図２は、ＰＬＣモデムの背面を示す外観斜視図である。図１、図２に示すＰＬＣモデム１０００は、筐体１０１０を有しており、この筐体１０１０の前面には、図１に示すようにＬＥＤ（Ｌｉｇｈｔ  Ｅｍｉｔｔｉｎｇ  Ｄｉｏｄｅ）等の表示部１０５０が設けられている。また、筐体１０１０の背面には、図２に示すように電源コネクタ１０２０、及びＲＪ４５等のＬＡＮ（Ｌｏｃａｌ  Ａｒｅａ  Ｎｅｔｗｏｒｋ）用モジュラージャック１０３０、及び動作モードを切換える切換えスイッチ１０４０が設けられている。電源コネクタ１０２０には、図示しない電源ケーブルが接続され、モジュラージャック１０３０には、図示しないＬＡＮケーブルが接続される。なお、ＰＬＣモデム１０００には、さらにＤｓｕｂ（Ｄ−ｓｕｂｍｉｎｉａｔｕｒｅ）コネクタを設け、Ｄｓｕｂケーブルを接続するようにしてもよい。
【００２１】
図３は、ＰＬＣモデム１０００の筐体１０１０内に収容されるハードウェアの一例を示すブロック図である。このＰＬＣモデム１０００は、回路モジュール２０００及びスイッチング電源３０００を有している。
【００２２】
スイッチング電源３０００は、各種（例えば、＋１．２Ｖ、＋３．３Ｖ、＋１２Ｖ）の電圧を回路モジュール２０００に供給するものであり、例えば、ラインフィルタ３１００、スイッチングトランス３２００、ＤＣ−ＤＣコンバータ３３００を含んで構成される。ラインフィルタ３１００は、外部からのノイズをフィルタするのと同時に、電子機器内部のノイズを外部に出さないようにするものである。スイッチングトランス３２００は、入力電源の投入等の際に大きな突入電流等が発生しても、出力電圧や出力電流を一定にする保持するものであり、後述する回路モジュール２０００のカプラトランス２７１０と物理的に一体化されている。また、ＤＣ−ＤＣコンバータ３３００は、スイッチングトランス３２００からの直流電圧を、種々の直流電圧に変換するものである。
【００２３】
回路モジュール２０００には、メインＩＣ（Ｉｎｔｅｇｒａｔｅｄ  Ｃｉｒｃｕｉｔ）２１００、ＡＦＥ・ＩＣ（Ａｎａｌｏｇ  Ｆｒｏｎｔ  Ｅｎｄ  ＩＣ）２２００、イーサネットＰＨＹ・ＩＣ（Ｐｈｙｓｉｃａｌ  Ｌａｙｅｒ  Ｉｎｔｅｇｒａｔｅｄ  Ｃｉｒｃｕｉｔ）２３００、メモリ２４００、ローパスフィルタ（ＬＰＦ）２５１０、ドライバＩＣ２５２０、バンドパスフィルタ（ＢＰＦ）２６００、及びカプラ２７００が設けられている。スイッチング電源３０００及びカプラ２７００は、電源コネクタ１０２０に接続され、さらに電源ケーブル６０００、電源プラグ４０００、コンセント５０００を介して電力線９０００に接続される。なお、メインＩＣ２１００は電力線通信を行う制御回路として機能する。
【００２４】
メインＩＣ２１００は、ＣＰＵ（Ｃｅｎｔｒａｌ  Ｐｒｏｃｅｓｓｉｎｇ  Ｕｎｉｔ）２１１０、ＰＬＣ・ＭＡＣ（Ｐｏｗｅｒ  Ｌｉｎｅ  Ｃｏｍｍｕｎｉｃａｔｉｏｎ  Ｍｅｄｉａ  Ａｃｃｅｓｓ  Ｃｏｎｔｒｏｌ  ｌａｙｅｒ）ブロック２１２０、及びＰＬＣ・ＰＨＹ（Ｐｏｗｅｒ  Ｌｉｎｅ  Ｃｏｍｍｕｎｉｃａｔｉｏｎ  Ｐｈｙｓｉｃａｌ  ｌａｙｅｒ）ブロック２１３０を備えている。ＣＰＵ２１１０は、３２ビットのＲＩＳＣ（Ｒｅｄｕｃｅｄ  Ｉｎｓｔｒｕｃｔｉｏｎ  Ｓｅｔ  Ｃｏｍｐｕｔｅｒ）プロセッサを実装している。ＰＬＣ・ＭＡＣブロック２１２０は、送信信号のＭＡＣ層（Ｍｅｄｉａ  Ａｃｃｅｓｓ  Ｃｏｎｔｒｏｌ  ｌａｙｅｒ）を管理し、ＰＬＣ・ＰＨＹブロック２１３０は、送信信号のＰＨＹ層（Ｐｈｙｓｉｃａｌ  ｌａｙｅｒ）を管理する。ＡＦＥ・ＩＣ２２００は、ＤＡ変換器（ＤＡＣ；Ｄ／Ａ  Ｃｏｎｖｅｒｔｅｒ）２２１０、ＡＤ変換器（ＡＤＣ；Ａ／Ｄ  Ｃｏｎｖｅｒｔｅｒ）２２２０、及び可変増幅器（ＶＧＡ；Ｖａｒｉａｂｌｅ  Ｇａｉｎ  Ａｍｐｌｉｆｉｅｒ）２２３０で構成されている。カプラ２７００は、スイッチングトランス３２００と一体化されたカプラトランス２７１０と、カップリング用コンデンサ２７２０ａ、２７２０ｂで構成されている。既述のように、カプラトランス２７１０は、スイッチングトランス３２００を物理的に一体化されている。なお、ＣＰＵ２１１０は、メモリ２４００に記憶されたデータを利用して、ＰＬＣ・ＭＡＣブロック２１２０、及びＰＬＣ・ＰＨＹブロック２１３０の動作を制御するとともに、ＰＬＣモデム１０００全体の制御も行う。
【００２５】
ＰＬＣモデム１０００は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式等の複数のサブキャリアを用いたマルチキャリア通信を行うものであり、このような伝送を行うためのデジタル信号処理は、メインＩＣ２１００、特にＰＬＣ・ＰＨＹブロック２１３０で行われる。メインＩＣ２１００によって実現されるデジタル信号処理は、各種提案されているので、詳細な説明は、省略する。
【００２６】
ＰＬＣモデム１０００による通信は、概略次のように行われる。モジュラージャック１０３０から入力されたデータは、イーサネットＰＨＹ・ＩＣ２３００を介してメインＩＣ２１００に送られ、デジタル信号処理を施すことによってデジタル送信信号が生成される。生成されたデジタル送信信号は、ＡＦＥ・ＩＣ２２００のＤＡ変換器（ＤＡＣ）２２１０によってアナログ信号に変換され、ローパスフィルタ２５１０、ドライバＩＣ２５２０、カプラ２７００、電源コネクタ１０２０、電源ケーブル６０００、電源プラグ４０００、コンセント５０００を介して電力線９０００に出力される。
【００２７】
電力線９０００から受信された信号は、カプラ２７００を経由してバンドパスフィルタ２６００に送られ、ＡＦＥ・ＩＣ２２００の可変増幅器（ＶＧＡ）２２３０でゲイン調整がされた後、ＡＤ変換器（ＡＤＣ）２２２０でデジタル信号に変換される。そして、変換されたデジタル信号は、メインＩＣ２１００に送られ、デジタル信号処理を施すことによって、デジタルデータに変換される。変換されたデジタルデータは、イーサネットＰＨＹ・ＩＣ２３００を介してモジュラージャック１０３０から出力される。
【００２８】
次に、スイッチングトランス３２００とカプラトランス２７１０とが物理的に一体化されたものとして使用可能な本発明の実施の形態のトランスユニットについて、図面を参照しながら説明する。
【００２９】
（第１の実施の形態）
図４及び図５は、本発明の第１の実施の形態のトランスユニット１０を示す斜視図及び分解斜視図である。このトランスユニット１０は、ＴＶ、ＰＣ、家電機器用、電力線通信装置用等のスイッチングトランス(大型トランス)と他の小型トランスを一体化したものであり、図３に示すＰＬＣモデムのスイッチングトランス３２００及びカプラトランス２７１０として使用可能である。
【００３０】
図４及び図５のトランスユニット１０は、電力線の交流電圧を変圧する縦型のトランスユニットであり、第１のトランスであるスイッチングトランス３２００ａと、第２のトランスであるカプラトランス２７１０ａは、台座１３を共用している。なお、図４において、符号Ｂ１１及びＢ１２は、それぞれ、スイッチングトランス３２００ａ及びカプラトランス２７１０ａにおける磁路を示す。なお、カプラトランス２７１０ａにおける磁路Ｂ１２は、図４に示した部分だけでなく、Ｅ型コア１１Ａの下方部分の台座１３全体に形成される。
【００３１】
スイッチングトランス３２００ａは、図５に示すように、Ｅ型コア１１Ａと、台座１３と、ボビン１１３と、ボビン１１３に巻回された銅線等の電線Ｗ１からなる１次コイル１１４及び２次コイル１１５と、１次コイル１１４と２次コイル１１５との間に設けられる絶縁シート１１６を含んで構成される。Ｅ型コア１１Ａと、台座１３は、フェライト等の強磁性体で形成される。Ｅ型コア１１Ａと台座１３とは、適宜の手段で固着され、一体化される。
【００３２】
Ｅ型コア１１Ａは、１次コイル１１４と２次コイル１１５がボビン１１３を介して巻回される第１の鉄心を構成する第１の足部１１１と、この第１の足部１１１と閉磁路Ｂ１１を形成する第１の継鉄を構成する第２の足部１１２とを有する。第１の足部１１１は、内層に１次コイル１１４が、外層に２次コイル１１５が巻回されたボビン１１３に挿入され、第１の継鉄を構成する台座１３上に配置される。したがって、Ｅ型コア１１Ａと台座１３により、閉磁路Ｂ１１が形成され、１次コイル１１４が、商用電源電圧側に接続されると、２次コイル１１５は、１次コイル１１４との間の電磁誘導作用により、電流が流れ、１次コイル１１４と２次コイル１１５の巻回数に応じた電圧が発生する。以上の構成を有するスイッチングトランス１１の磁路Ｂ１１は、大部分がＥ型コア１１Ａと台座１３内に形成される。なお、２次コイル１１５の外周は、安全のためシート状の絶縁材１１０（図４参照）でカバーされている。
【００３３】
カプラトランス２７１０ａは、台座１３（１３Ｂ）、ボビン１２３と、ビニール電線等の絶縁被覆された電線Ｗ２からなる１次コイル１２４及び２次コイル１２５を含んで構成される。ボビン１２３は、台座１３Ｂの端部に形成されたリング状部の周囲に配置され、配置されたボビン１２３に１次コイル１２４及び２次コイル１２５が巻回される。なお、これら１次コイル１２４及び２次コイル１２５の間は、絶縁シート等で電気的に絶縁してもよい。台座１３の端部は、１次コイル１２４及び２次コイル１２５がボビン１２３を介して巻回される第２の鉄心１２１を構成し、台座１３の残りの部分は、この第２の鉄心１２１と閉磁路を形成する第２の継鉄１２２を構成する。第２の鉄心１２１には、１次コイル１２４と２次コイル１２５が横方向に並んだ状態に巻回されている。１次コイル１２４は、カップリングコンデンサ２７２０ａ、２７２０ｂを介して商用電源電圧側（例えば図３の電源コネクタ１０２０）に接続され、２次コイル１２５は、通信装置側（例えば図３のメインＩＣ２１００やＡＦＥ・ＩＣ２２００）に接続される。なお、１次コイル１２４と２次コイル１２５を構成する電線Ｗ２は、ボビン１２３を使用せずに第２の鉄心１２１に直接巻回してコイルを形成してもよい。また、台座１３Ｂの幅が小さく第２の鉄心１２１に電線Ｗ２を巻回できないときには、第２の継鉄１２２が両側方(図４において、±Ｙ方向)に膨出するような形状でもよい。以上の構成を有するカプラトランス２７１０ａの磁路Ｂ１２は、大部分が台座１３内に形成される。
【００３４】
図４から明らかなように、本実施の形態のトランスユニットにおいては、スイッチングトランス３２００ａが形成する閉磁路Ｂ１１は、Ｘ−Ｚ面と平行な平面上に存在し、カプラトランス１２が形成する閉磁路Ｂ１２は、Ｘ−Ｙ面と平行な平面に存在することになる。したがって、閉磁路Ｂ１１が囲む平面（Ｘ−Ｚ面と平行な平面）と閉磁路Ｂ１２が囲む平面（Ｘ−Ｙ面と平行な平面）が直交する。すなわち、２つのトランスの磁界は、互いに直交する平面上に形成されることになる。したがって、両平面は平行とならないので、２つのトランスの磁界の干渉を抑制することができる。なお、２つのトランスの磁界は、正確に直交していなくても、平行とならないようにすることで干渉の抑制が可能である。また、台座１３Ｂは、第１の継鉄１１２の一部を構成するとともに第２の継鉄１２２の一部を構成しており、共通部１５（Ｅ型コア１１Ａの下方部分）は、閉磁路Ｂ１１と閉磁路Ｂ１２が形成される部分となっている。したがって、全体としてトランスユニット１０の小型化が可能となっている。
【００３５】
台座１３は、スイッチングトランス３２００ａの閉磁路Ｂ１１とカプラトランス１２の閉磁路Ｂ１２を形成する第２の台座１３Ｂとその両側の第１の台座１３Ａ及び第３の台座１３Ｃが一体化されて構成される。台座１３は、図示外の基板等に実装された他の電子部品等との電気的な接続を図るため、図示外の基板、シャーシ等に固定される。この台座１３Ａ、１３Ｂ、１３Ｃの底面は、それぞれ接続用の端子１３１が設けられ、これらの端子１３１が、基板上等の電子回路等と接続される。なお、第１の台座１３Ａ、第３の台座１３Ｃは、必須ではなく、省略も可能である。また、台座１３Ａ、１３Ｂ、１３Ｃを１つの部材で形成し、全体として１つの台座としてもよい。
【００３６】
以上のように、本実施の形態の縦型のトランスユニット１０では、前述したように、スイッチングトランス３２００ａが形成する閉磁路Ｂ１１が存在する平面（図４におけるＸ−Ｚ面）とカプラトランス１２が形成する閉磁路Ｂ１２が存在する平面（第４図におけるＸ−Ｙ面）とが平行とならないように構成される。したがって、お互いの磁界が電磁的に干渉し合うことがなく、一体化された同一コアであっても、所定の効率的な変圧動作が得られる。また、閉磁路を形成する継鉄の少なくとも一部を共通の部材で構成しているので、全体として小型化が可能となる。しかも、一方の大型のトランスを縦型としているため、基板等への設置面積を小さくすることができる。
【００３７】
（第２の実施の形態）
図６及び図７は、本発明の第２の実施の形態のトランスユニット２０を示す斜視図及び分解斜視図である。このトランスユニット２０は、第１の実施の形態と同様、電力線通信装置等のスイッチングトランス(大型トランス)と他の小型トランスを一体化したものであり、図３に示すＰＬＣモデムのスイッチングトランス３２００及びカプラトランス２７１０として使用可能である。
【００３８】
図６及び図７のトランスユニット２０は、電力線の交流電圧を変圧する縦型のトランスユニットであり、第１のトランスであるスイッチングトランス３２００ｂと、第２のトランスであるカプラトランス２７１０ｂは、台座２３を共用している。なお、図６において、符号Ｂ２１及びＢ２２は、それぞれ、スイッチングトランス３２００ｂ及びカプラトランス２７１０ｂにおける磁路を示す。
【００３９】
スイッチングトランス３２００ｂは、図７に示すように、Ｅ型コア２１Ａと、Ｉ型コア２２Ａと、台座２３と、ボビン２１３と、ボビン２１３に銅線等の電線Ｗ１が巻回された１次コイル２１４及び２次コイル２１５と、１次コイル２１４と２次コイル２１５との間に設けられる絶縁シート２１６とを含んで構成される。Ｅ型コア２１Ａと、Ｉ型コア２２Ａと、台座２３は、フェライト等の強磁性体で形成される。また、Ｅ型コア２１ＡとＩ型コア２２Ａとは適宜の手段で固着され、一体化される。
【００４０】
Ｅ型コア２１Ａは、１次コイル２１４と２次コイル２１５がボビン２１３を介して巻回される第１の鉄心を構成する第１の足部２１１と、この第１の足部２１１と閉磁路Ｂ２１を形成する第１の継鉄を構成する第２の足部２１２とを有する。第１の足部２１１には、第１の実施の形態と同様に、内層に１次コイル２１４が、外層に２次コイル２１５が巻回されたボビン２１３が配置される。Ｉ型コア２２Ａは、第２の足部２１２とともに第１の継鉄を構成する。したがって、以上の構成を有するスイッチングトランス３２００ｂの磁路Ｂ２１は、大部分がＥ型コア２１ＡとＩ型コア２２Ａ内に形成される。なお、２次コイル２１５の外周は、安全のためシート状の絶縁材２１０（図６参照）でカバーされる。
【００４１】
カプラトランス２７１０ｂは、Ｉ型コア２２Ａと、ボビン２２３と、ビニール電線等の絶縁被覆された電線Ｗ２からなる１次コイル２２４及び２次コイル２２５を含んで構成される。ボビン２２３は、Ｉ型コア２２Ａの端部に形成されたリング状部の周囲に配置され、配置されたボビン２２３に１次コイル２１４と２次コイル２１５が巻回される。なお、これら１次コイル２２４及び２次コイル２２５の間は、絶縁シート等で電気的に絶縁してもよい。Ｉ型コア２２Ａの端部は、１次コイル２１４と２次コイル２１５がボビン２３３を介して巻回される第２の鉄心２２１と、この第２の鉄心２２１と閉磁路を形成する第２の継鉄２２２を構成する。第２の鉄心２２１には、第１の実施の形態と同様に、１次コイル２２４と２次コイル２２５が横方向に並んだ状態に巻回される。以上の構成を有するカプラトランス２７１０ｂの磁路Ｂ２２は、大部分がＩ型コア２２Ａ内に形成される。
【００４２】
図６から明らかなように、本実施の形態のトランスユニットにおいては、スイッチングトランス３２００ｂが形成する閉磁路Ｂ２１は、Ｘ−Ｙ面と平行な平面上に存在し、カプラトランス２７１０ｂが形成する閉磁路Ｂ２２は、Ｙ−Ｚ面と平行な平面上に存在することになる。すなわち、２つのトランスの磁界は、互いに直交する平面に形成されることになる。したがって、両平面は平行とならないので、２つのトランスの磁界の干渉を抑制することができる。なお、２つのトランスの磁界は、正確に直交していなくても、平行とならないようにすることで干渉の抑制が可能である。また、Ｉ型コア２２Ａは、第１の継鉄２１２の一部を構成するとともに第２の継鉄２２２の一部を構成しており、共通部２５は、閉磁路Ｂ２１と閉磁路Ｂ２２が形成される部分となっている。したがって、全体としてトランスユニットの小型化が可能となっている。
【００４３】
台座２３は、図７に示すように、Ｅ型コア２１Ａが略中央部に塔載されるとともに、これと一体に固着されるＩ型コア２２Ａが縁部寄りに搭載される。また、この台座２３の底面からは、それぞれ接続用の端子２３１が突出しており、これらの端子２３１が、基板上等の電子回路等と接続される。なお、本実施の形態では、トランスユニット２０の薄型化を図るために、スイッチングトランス３２００ｂの１次コイル２１４及び２次コイル２１５の一部と、ボビン２１３の鍔の一部が入り込む凹所２３Ａが中央部に穿設されているが、Ｅ型コア２１Ａの厚さｔ（図７参照）を薄く形成してもよい。
【００４４】
以上のように、本実施の形態のトランスユニット２０でも、前述したように、閉磁路Ｂ２１が存在する平面（図６におけるＸ−Ｙ面）と閉磁路Ｂ２２が存在する平面（図６におけるＹ−Ｚ面）とが平行とならないように構成される。したがって、互いの磁界どうしが電磁的に干渉し合うことがなく、一体化された同一コアであっても、効率的な所要の変圧動作が得られる。また、閉磁路を形成する継鉄の少なくとも一部を共通の部材で構成しているので、全体として小型化が可能となる。しかも、一方の大型のトランスを横型としているため、基板等への搭載時に高さ方向の薄型化が実現できる。
【００４５】
なお、図６、図７に示すトランスユニット２０は、カプラトランスが形成されるコアをＩ型コア２２Ａとしたが、このＩ型コア２２Ａに換えて別のＥ型コアを利用してもよい。すなわち、図７に示すＩ型コア２２Ａを連結部として、Ｅ型コア２１Ａの第１の足部２１１及び第２の足部２１２と対向する３つの足部を設けた形状のＥ型コアを利用する。
【００４６】
（第３の実施の形態）
図８及び図９は、本発明の第３の実施の形態のトランスユニット３０を示す斜視図及び分解斜視図である。このトランスユニット３０は、第１及び第２の実施の形態と同様、電力線通信装置等用のスイッチングトランスと他の小形トランスを一体化したものであり、図３に示すＰＬＣモデムのスイッチングトランス３２００及びカプラトランス２７１０として使用可能である。
【００４７】
図８及び図９のトランスユニット３０は、電力線の交流電圧を変圧する縦型のトランスユニットであり、第１のトランスであるスイッチングトランス３２００ｃと、第２のトランスであるカプラトランス２７１０ｃは、台座３３を共用している。なお、図８において、符号Ｂ３１及びＢ３２は、それぞれ、スイッチングトランス３２００ｃ及びカプラトランス２７１０ｃにおける磁路を示す。
【００４８】
スイッチングトランス３２００ｃは、図９に示すように、左右対称形状を有する一対のＥ型コア３１Ａ、３１Ｂと、Ｉ型コア３２Ａと、ボビン３１３と、ボビン３１３に銅線等の電線Ｗ１が巻回された１次コイル３１４及び２次コイル３１５と、１次コイル３１４及び２次コイル３１５との間に設けられる絶縁シート３１６とを含んで構成される。Ｅ型コア３１Ａ、３１Ｂと、Ｉ型コア３２Ａと、台座１３は、フェライト等の強磁性体で形成される。また、Ｅ型コア３１Ａと３１ＢとＩ型コア３２Ａとは、適宜の手段で固着され、一体化される。
【００４９】
Ｅ型コア３１Ａ、３１Ｂは、１次コイル３１４と２次コイル３１５がボビン３１３を介して巻回される第１の鉄心を構成する第１の足部３１１と、この第１の足部３１１と閉磁路Ｂ２１を形成する第１の継鉄を構成する第２の足部３１２とを有する。第１の足部３１１には、内層に１次コイル３１４が、外層に２次コイル３１５が巻回されたボビン３１３が配置される。第２の足部３１２は、第１の足部３１２を挟んだ両側に設けてあるが、一方（Ｉ型コア３２Ａ寄りのもの）は、Ｉ型コア３２Ａを挟み込む分だけ、他方よりも短く形成される。Ｉ型コア３２Ａは、一方の第２の足部３１２に挟み込まれると、挟み込まれていない側が第２の足部３１２から突出する大きさを有している。Ｉ型コア３２Ａは、第２の足部３１２とともに第１の継鉄を構成する。したがって、以上の構成を有するスイッチングトランス３１の磁路Ｂ３１は、大部分がＥ型コア３１ＡとＩ型コア３２Ａ内に形成される。なお、２次コイル３１５の外周は、安全のためシート状の絶縁材３１０（図８参照）でカバーされる。
【００５０】
カプラトランス２７１０ｃは、Ｉ型コア３２Ａと、ボビン３２３と、ビニール電線等の絶縁被覆された電線Ｗ２からなる１次コイル３２４及び２次コイル３２５を含んで構成される。ボビン３２３は、Ｉ型コア３２Ａの端部に形成されたリング状部の周囲に配置され、配置されたボビン３２３に１次コイル３１４と２次コイル３１５が巻回される。なお、これら１次コイル３２４及び２次コイル３２５の間は、絶縁シート等で電気的に絶縁してもよい。Ｉ型コア３２Ａの端部は、ボビン３２３を介して１次コイル３１４と２次コイル３１５が巻回される第２の鉄心３２１と、この第２の鉄心３２１と閉磁路を形成する第２の継鉄３２２を構成する。第２の鉄心３２１には、第１、第２の実施の形態と同様、１次コイル３２４と２次コイル３２５が横方向に並んだ状態に整列巻される。また、このカプラトランス２７１０ｃでも、ボビン３２３を使用せずに第２の鉄心３２１に直接電線Ｗ２を巻回させてもよい。また、このＩ型コア３２Ａは、Ｅ型コア３１Ａと適宜の手段（ハンダ等）で一体に固着される。以上の構成を有するカプラトランス２７１０ｃの磁路Ｂ３２は、大部分がＩ型コア３２Ａ内に形成される。
【００５１】
図８から明らかなように、本実施の形態のトランスユニットにおいては、スイッチングトランス３２００ｃが形成する閉磁路Ｂ３１は、Ｘ−Ｙ面と平行な平面上に存在し、カプラトランス２７１０ｃが形成する閉磁路Ｂ３２は、Ｙ−Ｚ面と平行な平面上に存在することになる。すなわち、２つのトランスの磁界は、互いに直交する平面に形成されることになる。したがって、両平面は平行とはならないので、２つのトランスの磁界の干渉を抑制することができる。なお、２つのトランスの磁界は、正確に直交していなくても、平行とならないようにすることで干渉の抑制が可能である。また、Ｉ型コア３２Ａは、第１の継鉄３１２の一部を構成するとともに第２の継鉄３２２の一部を構成しており、共通部３５は、閉磁路Ｂ３１と閉磁路Ｂ３２が形成される部分となっている。
【００５２】
台座３３には、図９に示すように、２つの固着されたＥ型コア３１Ａが略中央部に、これと一体に固着されたＩ型コア３２Ａが縁部寄りに、搭載される。また、この台座３３の底面からは、接続用の端子３３１が突出し、この端子３３１が基板上等の電子回路等と接続される。なお、本実施の形態においても、第２の実施の形態と同様、トランスユニット３０の薄型化を図るために、スイッチングトランス３１の１次コイル３１４及び２次コイル３１５の一部と、ボビン３１３の鍔の一部が入り込む凹所３３Ａが中央部に穿設されるが、Ｅ型コア３１Ａの厚さｔ（図９参照）を薄く形成してもよい。
【００５３】
以上のように、本実施の形態のトランスユニット３０でも、閉磁路Ｂ３１が存在する平面（図８におけるＸ−Ｙ面）と閉磁路Ｂ３２が存在する平面（図８におけるＹ−Ｚ面）とが平行とならないように構成される。したがって、互いの磁界どうしが電磁的に干渉し合うことがなく、一体化された同一コアであっても、効率的な所要の変圧動作が得られる。また、閉磁路を形成する継鉄の少なくとも一部を共通の部材で構成しているので、全体として小型化が可能となる。しかも、第２の実施の形態と同様、横型であるため、高さ方向の薄型化も実現できる。また、カプラトランス３０の磁路Ｂ３２を構成するＩ型コアの第２の鉄心３２１と、ボビン３２３及びコイル３２４、コイル３２５を配置できる程度の開口のみを、Ｅ型コア３１１から突出させるだけの大きさにすることができるので、さらに小型化が可能となる。なお、このような構成とした場合、磁路Ｂ３２の大部分が、スイッチングトランス３２００ｃの磁路Ｂ３１と交差するが、両磁路の磁界は直交するので、干渉は少ない。
【００５４】
（第４の実施の形態）
図１０及び図１１は、本発明の第４の実施の形態のトランスユニット４０を示す斜視図及び分解斜視図である。このトランスユニット４０は、第１〜第３の実施の形態と同様、電力線通信装置等用のスイッチングトランスと他の小形トランスを一体化したものであり、図３に示すＰＬＣモデムのスイッチングトランス３２００及びカプラトランス２７１０として使用可能である。
【００５５】
図１０及び図１１のトランスユニット４０は、電力線の交流電圧を変圧する縦型のトランスユニットであり、第１のトランスであるスイッチングトランス３２００ｄと、第２のトランスであるカプラトランス２７１０ｄは、台座４３を共用している。なお、図１０において、符号Ｂ４１及びＢ４２は、それぞれ、スイッチングトランス３２００ｄ及びカプラトランス２７１０ｄにおける磁路を示す。
【００５６】
スイッチングトランス３２００ｄは、図１１に示すように、Ｅ型コア４１Ａと、Ｉ型コア４２Ａと、台座４３と、ボビン４１３に銅線等の電線Ｗ１が巻回された１次コイル４１４及び２次コイル４１５と、１次コイル４１４と２次コイル４１５との間に設けられる絶縁シート４１６とを含んで構成される。Ｅ型コア４１Ａと、Ｉ型コア４２Ａと、台座４３は、フェライト等の強磁性体で形成される。また、Ｅ型コア４１ＡとＩ型コア４２Ａとは適宜の手段で固着され、一体化される。
【００５７】
Ｅ型コア４１Ａは、１次コイル４１４と２次コイル４１５がボビン４１３を介して巻回される第１の鉄心を構成する第１の足部４１１と、この第１の足部４１１と閉磁路Ｂ４１を形成する第１の継鉄を構成する第２の足部４１２とを有する。第１の足部４１１には、第１〜第３の実施の形態と同様、内層に１次コイル４１４が、外層に２次コイル４１５が巻回されたボビン４１３が配置される。Ｉ型コア３２Ａは、第２の足部４１２とともに第１の継鉄を構成する。以上の構成を有するスイッチングトランス３２００ｄの磁路Ｂ４１は、大部分がＥ型コア４１ＡとＩ型コア４２Ａ内に形成される。なお、２次コイル４１５の外周は、安全のためシート状の絶縁材４１０（図１０参照）でカバーされる。
【００５８】
カプラトランス２７１０ｄは、Ｉ型コア４２Ａと、ボビン４２３と、ビニール電線等の絶縁被覆された電線Ｗ２等からなる１次コイル４２４及び２次コイル４２５で構成される。ボビン４２３は、Ｉ型コア４２Ａの中央部に形成されたリング状部の周囲に配置され、配置されたボビン４２３に１次コイル４１４と２次コイル４１５が巻回される。なお、これら１次コイル４２４及び２次コイル４２５の間は、絶縁シート等で電気的に絶縁してもよい。Ｉ型コア４２Ａのリング状部は、１次コイル４１４と２次コイル４１５がボビン４３３を介して巻回される第２の鉄心４２１と、この第２の鉄心４２１と閉磁路を形成する第２の継鉄４２２を構成する。第２の鉄心４２１には、第１〜第３の実施の形態と同様、１次コイル４２４と２次コイル４２５が横方向に並んだ状態に巻回される。なお、このカプラトランス２７１０ｄでは、ボビン４２３は使用せずに第２の鉄心４２１に直接電線Ｗ２を巻回させてもよい。
【００５９】
図１０から明らかなように、本実施の形態のトランスユニットにおいては、スイッチングトランス３２００ｄが形成する閉磁路Ｂ４１は、Ｘ−Ｙ面と平行な平面上に存在し、カプラトランス２７１０ｄが形成する閉磁路Ｂ４２は、Ｙ−Ｚ面と平行な平面上に存在することになる。したがって、両平面は平行とならないので、２つのトランスの磁界の干渉を抑制することができる。なお、２つのトランスの磁界は、正確に直交していなくても、平行とならないようにすることで干渉の抑制が可能である。また、Ｉ型コア４２Ａは、第１の継鉄４１２の一部を構成するとともに第２の継鉄４２２の一部を構成しており、共通部４５は、閉磁路Ｂ４１と閉磁路Ｂ４２が形成される部分となっている。
【００６０】
台座４３には、図１１に示すように、Ｅ型コア４１Ａが略中央部に搭載されるとともに、これと一体に固着されるＩ型コア４２Ａが縁部寄りに搭載される。また、この台座４３の底面からは、端子４３１が突出しており、基板上等の電子回路等と接続される。なお、本実施の形態でも、トランスユニット４０の薄型化を図るために、スイッチングトランス３２００ｄの１次コイル４１４及び２次コイル４１５の一部と、ボビン４１３の鍔の一部が入り込む凹所４３Ａが中央部に穿設されているが、Ｅ型コア４１Ａの厚さｔ（図１１参照）を薄く形成してもよい。
【００６１】
以上のように、本実施の形態のトランスユニット４０でも、閉磁路Ｂ４１が存在する平面（図１０におけるＸ−Ｙ面）と閉磁路Ｂ４２が存在する平面（図１０におけるＹ−Ｚ面）とが平行とならないように構成される。したがって、互いの磁界が電磁的に干渉し合うことがなく、一体化された同一コアであっても、効率的な所要の変圧動作が得られる。また、閉磁路を形成する継鉄の少なくとも一部を共通の部材で構成しているので、全体として小型化が可能となる。しかも一方の大型のトランスを横型としているため、基板等への搭載時に第２、第３の実施の形態と同様に高さ方向の薄型化も実現できる。カプラトランス２７１０ｄを構成するＩ型コア４２Ａのリング状部を、Ｉ型コア４２Ａの中央部に、かつ上方に突出させて形成しているので、平面的な面積は、スイッチングトランス３２００ｄ単独のものに対してほとんど増加しない。また、高さ方向についても、スイッチングトランス３２００ｄのボビン４３３配置部に突出させているので、基板等への実装領域の増加が避けられる。
【００６２】
なお、図１０、図１１に示すトランスユニット４０は、カプラトランスが形成されるコアをＩ型コア４２Ａとしたが、このＩ型コア４２Ａに換えて別のＥ型コアを利用してもよい。すなわち、図１１に示すＩ型コア４２Ａを連結部として、Ｅ型コア４１Ａの第１の足部４１１及び第２の足部４１２と対向する３つの足部を設けた形状のＥ型コアを利用する。
【００６３】
（第５の実施の形態）
図１２は、本発明の第５の実施の形態のトランスユニット５０を示す斜視図である。このトランスユニット５０は、第１〜第４の実施の形態と同様、電力線通信装置等用のスイッチングトランス(大型トランス)と他の小形トランスを一体化したものであり、図３に示すＰＬＣモデムのスイッチングトランス３２００及びカプラトランス２７１０として使用可能である。
【００６４】
図１２のトランスユニット５０は、台座５３中央部に設置する大型トランス（例えばスイッチングトランス）３２００ｅと、この大型トランス３２００ｅの鉄心を構成する第１の足部５１１の両側に設けた継鉄を構成する第２の足部５１２側に小型トランス（例えばカプラトランス）２７１０ｅ、２７１０ｆを設けたものである。具体的には、図８及び図９に示す第３の実施の形態のトランスユニット３０に、さらにカプラトランスを追加することで実現できるので、詳細な説明は省略する。すなわち、図８及び図９に示すトランスユニット３０においては、Ｅ型コア３１Ａと３１Ｂの第２の足部の一方にＩ型コア３２Ａを設けてカプラトランス３２を構成したが、本実施の形態では、Ｅ型コア５１Ａと５１Ｂの両方の第２の足部に同様のＩ型コアを設けることにより、追加の小形トランス２７１０ｅ、２７１０ｆを形成している。このように構成したトランスユニットは、第３の実施の形態のトランスユニット３０と同様、大型トランス３２００ｅと小形トランス２７１０ｅ、２７１０ｆは、それらの磁界が互いに電磁的に干渉し合うことがなく、一体化された同一コアであっても、効率的な所要の変圧動作を得ることができる。また、閉磁路を形成する継鉄の少なくとも一部を共通の部材で構成しているので、全体として小型化が可能となる。
【００６５】
なお、大型トランスの鉄心の回りの継鉄の数を、増やすことにより、さらに多くの小型トランスを一体化することができる。
【００６６】
なお、本発明は上述した実施の形態に何ら限定されるものではなく、その要旨を逸脱しない範囲において種々の形態で実施し得るものである。
【００６７】
なお、上述した第１ないし第５の実施の形態では、スイッチングトランスが形成する閉磁路が存在する平面と、カプラトランスが形成する閉磁路が存在する平面とが直交する場合について説明したが、これらの平面が平行でなければ、干渉を抑制する効果を奏することができる。
【産業上の利用可能性】
【００６８】
本発明のトランスユニットは、電力線の交流電圧を変圧する複数のトランスの小型化を、電磁的な干渉の発生を抑えつつ実現できるトランスユニット等として有用である。
【図面の簡単な説明】
【００６９】
【図１】本発明の実施の形態の電力線通信装置の１つであるＰＬＣモデムの前面を示す外観斜視図
【図２】本発明の実施の形態の電力線通信装置の１つであるＰＬＣモデムの背面を示す外観斜視図
【図３】本発明の実施の形態の電力線通信装置の１つであるＰＬＣモデムのハードウェアの一例を示すブロック図
【図４】本発明の第１の実施形態のトランスユニットを示す斜視図
【図５】本発明の第１の実施形態のトランスユニットを示す分解斜視図
【図６】本発明の第２の実施形態のトランスユニットを示す斜視図
【図７】本発明の第２の実施形態のトランスユニットを示す分解斜視図
【図８】本発明の第３の実施形態のトランスユニットを示す斜視図
【図９】本発明の第３の実施形態のトランスユニットを示す分解斜視図
【図１０】本発明の第４の実施形態のトランスユニットを示す斜視図
【図１１】本発明の第４の実施形態のトランスユニットを示す分解斜視図
【図１２】本発明の第５の実施形態のトランスユニットを示す斜視図
【符号の説明】
【００７０】
１０、２０、３０、４０、５０  トランスユニット
３２００ａ、３２００ｂ、３２００ｃ、３２００ｄ、３２００ｅ  スイッチングトランス（第１のトランス）
２７１０ａ、２７１０ｂ、２７１０ｃ、２７１０ｄ、２７１０ｅ、２７１０ｆ  カプラトランス（第２のトランス）
１３、２３、３３、４３、５３  台座
１１Ａ、２１Ａ、３１Ａ、３１Ｂ、４１Ａ、５１Ａ、５１Ｂ  Ｅ型コア
１１４、１２４、２１４、２２４、３１４、３２４、４１４、４２４  １次コイル
１１５、１２５、２１５、２２５、３１５、３２５、４１５、４２５  ２次コイル
１１１、２１１、３１１、４１１  第１の足部
１１２、２１２、３１２、４１２  第２の足部
２２Ａ、３２Ａ、４２Ａ、５２１Ａ、５２１Ｂ  Ｉ型コア
１２１、２２１、３２１、４２１  第２の鉄心
１２２、２２２、３２２、４２２  第２の継鉄
１０００  ＰＬＣモデム
１０１０  筐体
１０２０  電源コネクタ
１０３０  モジュラージャック
２０００  回路モジュール２００
２１００  メインＩＣ
２２００  ＡＦＥ・ＩＣ
２３００  イーサネットＰＨＹ・ＩＣ
２７００  カプラ
２７１０  カプラトランス
３０００  スイッチング電源
３２００  スイッチングトランス
４０００  電源プラグ
６０００  電源ケーブル
９０００  電力線
Ｂ１１、Ｂ１２、Ｂ２１、Ｂ２２、Ｂ３１、Ｂ３２、Ｂ４１、Ｂ４２  磁路
【図１】
0004790479.tif 000002
【図２】
0004790479.tif 000003
【図３】
0004790479.tif 000004
【図４】
0004790479.tif 000005
【図５】
0004790479.tif 000006
【図６】
0004790479.tif 000007
【図７】
0004790479.tif 000008
【図８】
0004790479.tif 000009
【図９】
0004790479.tif 000010
【図１０】
0004790479.tif 000011
【図１１】
0004790479.tif 000012
【図１２】
0004790479.tif 000013